(57)【要約】      （修正有）【課題】羽毛を備える羽毛含有ライナーが、スラックスに対して容易に着脱可能であり、また、羽毛含有ライナーを装着した場合であっても、すっきりとした印象のスラックスを提供する。【解決手段】スラックス本体２と、スラックス本体の前身頃１４裏面の股上部及び脚部に着脱可能に備えられている羽毛含有ライナー９とを含むスラックスであって、スラックス本体の側部裏面において、羽毛含有ライナーと接続することができる接続部材１１、１２を備え、かつ、スラックス本体の前身頃のウエスト部裏面において、羽毛含有ライナーと接続することができるファスナー１０Ａ，１０Ｂを備えており、スラックス本体の生地は伸縮性を有する、スラックス。【選択図】図３
2017222935.tif 000002
【特許請求の範囲】
【請求項１】
スラックス本体と、前記スラックス本体の前身頃裏面の股上部及び脚部に着脱可能に備えられている羽毛含有ライナーとを含むスラックスであって、
前記スラックス本体の側部裏面において、前記羽毛含有ライナーと接続することができる接続部材を備え、かつ、
前記スラックス本体の前身頃のウエスト部裏面において、前記羽毛含有ライナーと接続することができるファスナーを備えており、
前記スラックス本体の生地は伸縮性を有する、スラックス。
【請求項２】
前記スラックス本体の側部裏面にリング状紐部を備え、前記羽毛含有ライナーは、前記リング状紐部に対応する位置にボタンを備え、前記ボタンを前記リング状紐部に嵌めることにより、前記スラックスと前記羽毛含有ライナーとが接続される、請求項１に記載のスラックス。
【請求項３】
前記スラックスは、ウエストの上端部から裾方向に向かって開閉する機能を有する部材を備えない、請求項１又は２に記載のスラックス。
【発明の詳細な説明】
【技術分野】
【０００１】
本発明は、スラックス、特に着脱可能な羽毛含有ライナーを備えるスラックスに関する。
【背景技術】
【０００２】
従来から防寒のために、羽毛ジャケット、羽毛パンツ等の羽毛を衣類表面に備える防寒衣類がある。かかる防寒衣類は、羽毛を備えているため、寒い冬のような季節であっても、着用者の身体を保温することができ、快適さを感じることができる。
【０００３】
一方、羽毛を備えた防寒衣類を、部屋などの暖かい屋内で着用してしまうと、保温しすぎてしまい、かえって快適さを失ってしまう。
【０００４】
この課題を解決するものとして、特許文献１には、羽毛を含む保温パックを備える防寒衣類であって、前記保温パックは衣類から着脱可能である、防寒衣類が開示されている。当該防寒衣類は、複数の保温パックを収納部に出し入れすることにより、衣類の保温力を調整することができるようにしたものである。しかし、当該衣類は、複数の羽毛パックを使用するため、保温パックと保温パックの間には、凹凸ができてしまい、外観が良好なすっきりとしたスラックスではない（スラックスについては、特許文献１の図８を参照）。
【０００５】
また、特許文献１のように、１つ１つパックを挿入する方法では、羽毛の脱着に時間がかかる。その上、保温パック内の羽毛が偏った場合、１つ１つのパックについて、羽毛を均一に配置するように、羽毛をならす必要があるため、保温パックの装着に時間がかかってしまう。
【先行技術文献】
【特許文献】
【０００６】
【特許文献１】特開２０１３-４４０７５号公報
【発明の概要】
【発明が解決しようとする課題】
【０００７】
本発明は、羽毛を含む羽毛含有ライナーが、スラックスに対して容易に着脱可能であり、また、羽毛含有ライナーを装着した場合であっても、すっきりとした印象のスラックスを提供することを目的とする。
【課題を解決するための手段】
【０００８】
本発明のスラックスは、スラックス本体と、前記スラックス本体の前身頃裏面の股上部及び脚部に着脱可能に備えられている羽毛含有ライナーとを含むスラックスであって、
前記スラックス本体の側部裏面において、前記羽毛含有ライナーと接続することができる接続部材を備え、かつ、前記スラックス本体の前身頃のウエスト部裏面において、前記羽毛含有ライナーと接続することができるファスナーを備えており、前記スラックス本体の生地は伸縮性を有する、スラックスである。
【発明の効果】
【０００９】
本発明が提供するスラックスは、羽毛を備える羽毛含有ライナーが、スラックスに対して容易に着脱可能であり、また、羽毛含有ライナーを装着した場合であっても、すっきりとした印象のスラックスである。また、羽毛含有ライナーは、スラックスの股上部及び脚部の全体を覆うため、すっきりとしたお洒落な印象を与えるスラックスであるにもかかわらず、極めて保温力が高いものである。
【図面の簡単な説明】
【００１０】
【図１】図１は、実施例１のスラックス１を示す正面図である。
【図２】図２は、実施例１のスラックス１の内側を表側に出したときの、前身頃側から見た図である。
【図３】図３は、図２のように、羽毛含有ライナーの装着を示す斜視図である。
【図４】図４は、図１の点線矢印部分についての断面図である。
【発明を実施するための形態】
【００１１】
本発明の実施の形態の一例について、実施例を用いて説明するが、本発明は実施例に限定されるものではない。
【実施例】
【００１２】
［実施例１］
図１は、実施例１のスラックス１を示す正面図である。スラックス１は、スラックス本体２と、羽毛含有ライナー９とを含む。スラックス本体２は、羽毛含有ライナー９を装着しない状態であっても、通常のスラックスとして使用できるものである。スラックス１（スラックス本体２）は、便宜上、ウエスト部３、股上部４、脚部５から構成されるものとする。ウエスト部３は着用者のウエストに位置する部分であり、スラックス１の上端部から１〜３ｃｍ幅程度の部分を指す。股上部４は、ウエスト部３よりも脚方向の下に位置し、かつ、股部の位置よりも上部に位置する部分を指す。脚部５は、股部の位置よりも下に位置し、着用者の脚に位置する部分を指す。
【００１３】
スラックス本体２の生地（前身頃１４の生地、後身頃１５の生地）は、伸縮性を有する生地を使用する。ここで、伸縮性を有するとは、通常２０％以上、好ましくは４０％以上の伸長率を有する生地である。
【００１４】
図１で示される、前開き部６、ポケット７，７・・、及び前開き用ボタン８は、いずれも前身頃にプリントしてあるものである。したがって、見た目は、あたかも機能する前開き部、ポケット、及び前開き用ボタンを有するスラックスのようであるが、実際は前開き部、ポケット、前開きボタンを備えていないものである。
【００１５】
図２は、図１のスラックス１の内側を表側に出したときの、前身頃１４側から見た図である。このように、スラックス１の内側の前身頃１４には、羽毛含有ライナー９が備わっている。羽毛含有ライナー９は、その中に羽毛を含有し、スッラクス形状で、かつ袋状のものであり、スラックス１に着脱可能である。羽毛含有ライナー９をスラックス１に取り付けることで、スラックス１の保温性を高めることができる。
【００１６】
羽毛含有ライナー９は、スラックス１の前身頃１４の股上部４及び脚部５の全体を覆うものである。特許文献１のように、複数の小さな羽毛パックを、衣類に備わっている収納部に出し入れするような態様の場合、股上部４の中心部分等、羽毛パックと羽毛パックとの間を、覆うことができず、十分に保温することができない。しかし、スラックス１では、股上部４の下腹部中心を含めて全体に保温することができる。羽毛含有ライナー９は、３ｃｍ以下が好ましい。
【００１７】
羽毛含有ライナー９内に含まれる羽毛１６が、羽毛含有ライナー９内で偏りが生じないように、羽毛含有ライナー９は脚の長さ方向に対して、略平行方向及び略垂直方向に縫目部１３を向けている。縫目部１３は、羽毛含有ライナー９の上下の２枚の布地及びその中に含まれる羽毛１６を一緒に縫い合わせることにより、形成される。このような縫目部１３により、羽毛含有ライナー９の中で、羽毛１６が含まれる空間を小分けにし、羽毛１６が羽毛含有ライナー９内で大きく偏りが生じるのを避けることができる。
【００１８】
スラックス本体２及び羽毛含有ライナー９の構成を説明する。図３のように、スラックス本体２の側部裏面、具体的には、脚部５において前身頃１４と後身頃１５とが縫着されている部分（スラックス本体２の裏面における脚外側部と脚内側部）において、１５個のリング状紐部１２，１２、・・・が設けられている。また、スラックス本体２のウエスト部３の前身頃においては、ファスナーＹ１０Ｂが設けられている。一方、羽毛含有ライナー９は、スラックス本体２のリング状紐部１２，１２・・・に対応する部分に、１５個のボタン１１，１１・・・が設けられている。また、羽毛含有ライナー９の上端部においては、スラックス本体２のファスナーＹ１０Ｂに接続可能な、ファスナーＸ１０Ａが設けられている。なお、リング状紐部１２とは、紐をリング状にしたもので、その中にボタンを入れることで、スラックス１と羽毛含有ライナー９とを接続することができるようなものである。
【００１９】
つぎに、羽毛含有ライナー９をスラックス本体２に接続する方法について説明する。図３に示すように、スラックス１の内側を外側に出すことによって、表裏を反対にする。このとき、スラックス本体２は、通常着用するとき着用者の肌が接する部分が表に出ている状態である。この状態でスラックス本体２の前身頃１４の上に、羽毛含有ライナー９を配置する。次に、ファスナーＸ１０Ａと、ファスナーＹ１０Ｂとを接続する。ファスナー１０Ａとファスナー１０Ｂとはチェック式で接続することができるが、面ファスナーなどで接続してもよい。そして、リング状紐部１２，１２，・・・に、羽毛含有ライナー９に設けられている各ボタン１１，１１，・・・を嵌める。このようにすることで、スラックス本体２に、羽毛含有ライナー９を接続することができる。接続の完成した状態は、図２に示すような状態である。
【００２０】
図４に示すように、羽毛含有ライナー９は、スラックス本体２の前身頃１４のみに接続する。なお、羽毛含有ライナー９を後身頃１５に接続してもかまわないが、後身頃１５に羽毛含有ライナー９を接続した状態で、椅子等に座ると、羽毛１６のモコモコした違和感が生じてしまう上、外見に関してはスッキリとしたお洒落な印象を与えない。また、スラックス１のように、前身頃１４のみに接続するだけでも、十分に保温性がある。
【００２１】
羽毛１６を含む羽毛含有ライナー９の生地は伸縮性を有することが好ましい。羽毛含有ライナー９の羽毛を包む外側生地に伸縮性があれば、着用時の脚の曲げ伸ばしをして、スラックス本体２が伸縮した場合であっても、羽毛含有ライナー９もスラックス本体２の伸縮に追随することができるため、違和感なく着用することができ、着用者は極めて動きやすくなる。
【００２２】
羽毛含有ライナー９の外側の袋状の生地として、ポリエステルのメッシュに、ポリウレタンコーティングが施されている素材を使用することができる。この構成により、極めて羽毛プルーフ性が高くなる。すなわち、羽毛含有ライナー９が伸長した状態であっても、ミクロな穴が開きにくいため、中の羽毛１６が外に出にくい構造になっている。また、ポリウレタンコーティングが施されているポリエステルメッシュは、適切な伸縮性及び透水性を兼ね備えている。
【００２３】
さらに、スラックス１は、スラックス本体２のウエスト上端部から裾方向に向かって開閉する機能を有しない。一般的なスラックスの多くは、前身頃の中央ウエスト上端部から裾方向（股方向）に向かって開閉できる機能を有する部材、例えば、ファスナー等を備えている。そのようなスラックスを着用するときは、まず当該前身頃のファスナー等を裾方向に開き、ウエストの周囲を広げて、脚に続き、臀部をスラックスに挿入し、最後にファスナー等を閉じて完了する。しかし、スラックス１では、前身頃１４の股上部４及び脚部５にわたって羽毛含有ファスナーが接続されているため、前身頃１４の中央上部において、裾方向に開閉する機能を有する部材を備えることができない。そのため、スラックス１においては、伸縮性を有する生地を用いて、そして着用の際にはウエスト部を伸長させてから、脚及び臀部をスラックス１に挿入する。
【００２４】
なお、スラックス１の前身頃１４のウエスト部３には、ファスナー１０Ｂを備えているため、前身頃１４は伸長できないが、後身頃１５はファスナー等を備えていないため、生地は伸長できる。このように、スラックス本体２には、前身頃１４に開閉するファスナーを備えることができないが、スラックス本体２には、前開き部６、ポケット７，７・・・、前開き用ボタン８をプリントしているため、見た目は、機能する前開き部、ポケット、前開きボタンが備わっているように見える。
【００２５】
本発明の効果について説明する。
［１］スラックス本体と、前記スラックス本体の前身頃裏面の股上部及び脚部に着脱可能に備えられている羽毛含有ライナーとを含むスラックスであって、前記スラックス本体の側部裏面において、前記羽毛含有ライナーと接続することができる接続部材を備え、かつ、前記スラックス本体の前身頃のウエスト部裏面において、前記羽毛含有ライナーと接続することができるファスナーを備えており、前記スラックス本体の生地は伸縮性を有する、スラックスは、羽毛を備える羽毛含有ライナーが、スラックスに対して容易に着脱可能であり、また、羽毛含有ライナーを装着した場合であっても、前身頃のみに装着するため、見た目はすっきりとした印象のスラックスである。また、羽毛含有ライナーは、スラックスの股上部及び脚部の全体を覆うため、すっきりとしたお洒落な印象を与えるスラックスであるにもかかわらず、極めて保温力が高いものである。また、ウエスト部における、スラックスと羽毛含有ライナーとの着脱をファスナーで行うことにより、ウエスト部では、凹凸を感じることがなく、快適に着用することができる。
【００２６】
［２］上記［１］における、前記スラックス本体の側部裏面にリング状紐部を備え、前記羽毛含有ライナーは、前記リング状紐部に対応する位置にボタンを備え、前記ボタンを前記リング状紐部に嵌めることにより、前記スラックスと前記羽毛含有ライナーとが接続される場合は、羽毛含有ライナーをはずした状態であっても、スラックス本体に備えられている接続部材が、紐により構成されているため、着用時に着用者の脚にリング状紐部が接触したとしても、脚の肌において違和感を覚えず、着用しつづけることができる。
【００２７】
［３］上記［１］又は［２］において、前記スラックスは、ウエストの上端部から裾方向に向かって開閉する機能を有する部材を備えない場合であっても、スラックス１は伸縮性を有する生地であるため、前開きをせずに、着用することができる。なお、着用者が、スラックスを着用する際は、スラックス１の前身頃のウエスト部には、ファスナーが設けられているため、伸縮することが難しい。したがって、着用時は、スラックス１の後身頃のウエスト部が伸長することにより、ウエスト部が臀部の大きさまで広がり、着用することができる。
【符号の説明】
【００２８】
１    スラックス
２    スラックス本体
３    ウエスト部
４    股上部
５    脚部
６    前開き部（プリント）
７    ポケット（プリント）
８    前開き用ボタン
９    羽毛含有ライナー
１０Ａ，１０Ｂ  ファスナー
１１  ボタン
１２  リング状紐部
１３  縫目部
１４  前身頃
１５  後身頃
１６  羽毛
【図１】
2017222935.tif 000003
【図２】
2017222935.tif 000004
【図３】
2017222935.tif 000005
【図４】
2017222935.tif 000006
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
スラックス本体と、前記スラックス本体の前身頃裏面の股上部及び脚部に着脱可能に備えられ、前身頃の股上部及び脚部を覆うための羽毛含有ライナーとを含むスラックスであって、
前記スラックス本体の側部裏面において、前記羽毛含有ライナーと接続することができる接続部材を備え、かつ、
前記スラックス本体の前身頃のウエスト部裏面において、前記羽毛含有ライナーと接続することができるファスナーを備えており、
前記スラックス本体の生地は伸縮性を有する、スラックス。
【請求項２】
前記スラックス本体の側部裏面にリング状紐部を備え、前記羽毛含有ライナーは、前記リング状紐部に対応する位置にボタンを備え、前記ボタンを前記リング状紐部に嵌めることにより、前記スラックス本体と前記羽毛含有ライナーとが接続される、請求項１に記載のスラックス。
【請求項３】
前記スラックスは、ウエストの上端部から裾方向に向かって開閉する機能を有する部材を備えない、請求項１又は２に記載のスラックス。